(57)【要約】【課題】センサの視認性の低下を防ぐ。【解決手段】センサ１６ａが設置された基板を搭載したセンサケース１６ｃの開口部の周囲において、センサカバー１６ｄが前記開口部を覆うようにセンサケース１６ｃに当接し、センサケース１６ｃが空気調和機の室内機に設置された露受皿７と所定の間隔をもって配置されることを特徴とする。上記のようにセンサカバー１６ｄをセンサケース１６ｃに嵌め込むことによって、フレネルレンズ１６ｂをほぼ密閉する。【選択図】図８
2012112547.tif 000002
【特許請求の範囲】
【請求項１】
センサを備える空気調和機であって、
前記センサが設置された基板を搭載したセンサケースの開口部の周囲において、センサカバーが前記開口部を覆うように前記センサケースに当接し、
前記センサケースが前記空気調和機の室内機に設置された露受皿と所定の間隔をもって配置されること
を特徴とする空気調和機。
【請求項２】
前記センサカバーが、その周囲の化粧枠と略面一に形成されること
を特徴とする請求項１に記載の空気調和機。
【請求項３】
前記センサカバーは、前記センサの視界が通る範囲外における前記センサカバーの板厚に比べて、前記センサの視界が通る範囲内における前記センサカバーの板厚のほうが薄く形成されること
を特徴とする請求項１又は請求項２に記載の空気調和機。
【発明の詳細な説明】
【技術分野】
【０００１】
本発明は、センサを備えた空気調和機に関する。
【背景技術】
【０００２】
従来の空気調和機として、人の所在の有無を検知するための人検知センサを取り付け、無駄なく室内の温度をコントロールする機能を備えるものが知られている。
特許文献１には、筐体の左右方向ほぼ中央部の空気吸込口と空気吹出口との間に、赤外線センサを設けた空気調和機が記載されている。また、当該赤外線センサは、その受光面が上下風向板の吹出風路から筐体の外に出る部分より前方かつ上方になるように配置される。上記赤外線センサによって在室者の有無を検知し、室内に人がいなくなると空気調和機を省エネ運転に切り替えたり運転を停止するなどして、消費電力を低減させることが可能である。また、在室者の位置を検知し、当該在室者の位置に応じて風向や風量等を調整する方法も知られている。
【先行技術文献】
【特許文献】
【０００３】
【特許文献１】特開２０１０−１９０５２８号公報
【発明の概要】
【発明が解決しようとする課題】
【０００４】
特許文献１に記載の空気調和機では、露受皿に赤外線センサの基板が固定されるため、センサカバーやレンズが冷やされて結露し、その結露水に埃が付着してセンサの視界を遮るという問題があった。
また、特許文献１に記載の空気調和機では、赤外線センサの受光面が上下風向板の吹出風路から筐体の外に出る部分より前方かつ上方になるように配置される。つまり、センサカバーが周囲の化粧枠から突出しているため、冷房運転をしている室内機から吹出された冷風によりセンサカバーが冷やされる。また、室内機の吹出口の周囲に生じる負圧に引き寄せられた空気がセンサカバーに触れる可能性がある。
したがって、特許文献１に記載の空気調和機では、室内機周囲の湿った空気が、室内機から吹出された冷風により冷やされたセンサカバーに触れることで、センサカバーの外表面が結露する可能性がある。センサカバーが結露した場合にはその結露水自体によってセンサの視界が攪乱され、また、当該結露水に塵埃が付着してセンサの視認性が低下するという問題があった。
【０００５】
そこで本発明は、センサの視認性の低下を防ぐことを課題とする。
【課題を解決するための手段】
【０００６】
前記課題を解決し、本発明の目的を達成するために、以下のように構成した。
すなわち、センサが設置された基板を搭載したセンサケースの開口部を覆うようにセンサカバーが前記センサケースの前記開口部の周囲において当接し、前記センサケースが空気調和機の室内機に設置された露受皿と所定の間隔をもって配置されるように構成した。
【発明の効果】
【０００７】
本発明により、センサの視認性の低下を防ぐことができる。
【図面の簡単な説明】
【０００８】
【図１】一般的な空気調和機の構成を示す図である。
【図２】一般的な空気調和機の冷媒回路図である。
【図３】本発明の第１実施形態に係る空気調和機の室内機の断面図である。
【図４】（ａ）は本発明の第１実施形態に係る空気調和機の室内機の斜視図であり、（ｂ）は（ａ）の状態から上側上下風向板を取り外した状態の室内機の斜視図であり、（ｃ）は（ｂ）の状態からさらにセンサカバーを取り外した状態の室内機の斜視図である。
【図５】本発明の第１実施形態に係る空気調和機において、(ａ)はセンサモジュールの斜視図であり、（ｂ）は(ａ)の状態からセンサカバーを取り外した状態のセンサモジュールの斜視図である。
【図６】本発明の第１実施形態に係る空気調和機において化粧枠にセンサモジュールを取り付ける場合を示した図であり、(ａ)はセンサモジュールの斜視図であり、（ｂ）は室内機のセンサモジュール周辺の断面図である。
【図７】本発明の第１実施形態に係る空気調和機において露受皿に設置したボスにセンサモジュールを取り付ける場合を示した図であり、(ａ)はセンサモジュールの斜視図であり、（ｂ）は室内機のセンサモジュール周辺の断面図である。
【図８】本発明の第１実施形態に係る空気調和機のセンサモジュール周辺の断面図である。
【図９】本発明の第２実施形態に係る空気調和機のセンサモジュールの断面図である。
【図１０】本発明の第３実施形態に係る空気調和機のセンサモジュールの断面図である。
【図１１】従来の空気調和機のセンサモジュール周辺の断面図である。
【図１２】従来の空気調和機のセンサモジュール周辺の断面図である。
【発明を実施するための形態】
【０００９】
本発明の各実施形態について、適宜図面を参照しながら説明する。なお、各図において、共通する部分には同一の符号を付し、重複した説明を省略する。
【００１０】
≪第１実施形態≫
図１は、一般的な空気調和機の構成を示す図である。図１において、空気調和機Ａは室内機１と、室外機２とが冷媒配管ａ（図２参照）によって接続されている。空気調和機Ａは、室内空気を室内熱交換器５（図２参照）に循環させて加熱、冷却、又は除湿し、これを吹出すことにより室内を空気調和する。
リモコン３はユーザ（図示せず）によって操作され、空気調和機Ａの赤外線センサ（図示せず）に赤外線信号を送信する。当該信号は、運転要求、設定温度の変更、タイマ、運転モードの変更、停止要求等の指令である。空気調和機Ａは、これらの信号に基づいて、冷房モード、暖房モード、除湿モード等の空調運転を行う。
【００１１】
図２は、一般的な空気調和機の冷媒回路図である。空気調和機Ａの冷媒回路は、圧縮機１８、冷媒流路切替え弁１９、室外熱交換器２０、冷暖房絞り装置２２、室内熱交換器５、除湿絞り装置２３、除湿加熱器２４が冷媒配管ａを介して接続される構成となっている。なお、室外送風機２１及び貫流ファン６は送風装置である。
【００１２】
次に、冷房運転時の動作について説明する。図２の実線矢印は空気調和機Ａの冷房運転時の冷媒の流れを示す。圧縮機１８で圧縮された冷媒は高温高圧となって、冷媒流路切替え弁１９、冷媒配管ａを通って室外熱交換器２０に入る。室外熱交換器２０において冷媒は、室外送風機２１によって熱交換して低温高圧となり、冷媒配管ａを介して冷暖房絞り装置２２に送られる。冷暖房絞り装置２２において冷媒は、膨張して低温低圧となり、冷媒配管ａを介して室内熱交換器５に送られる。さらに室内熱交換器５において冷媒は、室内空気と熱交換し加熱される。一方、上記冷媒と熱交換し冷却された室内空気は、送風装置である貫流ファン６によって室内に送風される。
【００１３】
また、暖房運転時には冷媒流路切替え弁１９を切替えて、冷媒を図２の実線矢印とは逆向きに流すことによって、高温低圧の冷媒が室内熱交換器５に流入する。室内熱交換器５において冷媒は、室内空気と熱交換し冷却される。一方、上記冷媒と熱交換し加熱された室内空気は、送風装置である貫流ファン６によって室内に送風される。その他、除湿運転の有無に応じて、適宜除湿絞り装置２３を絞り、又は開放する。
なお、空気調和機Ａの運転動作の詳細については、その説明を省略する。
【００１４】
図３は、本発明の第１実施形態に係る空気調和機の室内機の断面図である。室内機１は、筐体ベース４、室内熱交換器５、貫流ファン６、露受皿７、化粧枠８、前面パネル９、左右風向板１３、上側上下風向板１４ａ、下側上下風向板１４ｂ、フィルタ１５、センサモジュール１６等によって構成される。
筐体ベース４には、室内熱交換器５、貫流ファン６、露受皿７、フィルタ１５等の基本的な内部構造体が取り付けられている。
室内熱交換器５は、貫流ファン６の上に逆Ｖ字型に取り付けられており、内部に複数本の伝熱管５１が貫通している。当該伝熱管５１は、冷媒配管ａ（図２参照）に連通しており、冷媒回路（図２参照）の一部を構成する。また、室内熱交換器５は、貫流ファン６により室内機１内に取り込まれフィルタ１５を通過した空気と熱交換し、当該空気を冷却又は加熱するように構成されている。
【００１５】
貫流ファン６は円筒形に成形され、その両端部及び中心軸方向に複数箇所設けられる円筒形の仕切り板と、一方の仕切り板から他方の仕切り板に向けて延び且つ円周状に配置される多数の羽根とにより構成されている。貫流ファ６は、中心軸周りに回転して送風動作を行うように構成されている。
露受皿７は、室内熱交換器５の前後両側の下端部下方に配置され、冷房運転時や除湿運転時に室内熱交換器５において発生する凝縮水を受けるために設けられている。なお、露受皿７において受け集められた凝縮水はドレン配管２６（図４参照）内を流れて、室外に排出されるようになっている。
【００１６】
化粧枠８は筐体ベース４に配置された内部構造体（室内熱交換器５、貫流ファン６、露受皿７、フィルタ１５等）を覆うように配置され、室内機１の外観を美しくする。また、化粧枠８には、空気吸込口１５が前面及び上面に設けられており、当該空気吸込口１５を介して室内機１の内部に空気を取り込む。なお、化粧枠８には、センサモジュール１６のセンサ１６ａの視界２８（図８参照）を確保するための切欠き８ａ（図４（ｃ）参照）が設けられている。なお、センサモジュール１６の詳細については後記する。
【００１７】
前面パネル９は、室内機１の前面に設置されており、下端を軸として回動可能な構成となっている。すなわち前面パネル９は、室内機１の運転時には前面の空気吸込口１０を開き、停止時には前面の空気吸込口１０を閉じるように制御される。なお、前面パネル９を上記のように回動可能な構成ではなく固定されたものとし、化粧枠８の上面に設けられた空気吸込口１０のみによって空気を取り込むものとしてもよい。
また、前面パネル９の下部の左右一方の側には運転状況を表示する表示装置（図示せず）と、リモコン３（図１参照）からの赤外線等の操作信号を受ける受光部２５（図４参照）が設けられている。
【００１８】
左右風向板１３は、電装品箱(図示せず)に設置された制御装置(図示せず)からの指示に従い、下部に設けた回動軸（図示せず）を支点にして駆動モータ(図示せず)により回動され、その状態に保持される。また、制御装置からの指示に応じて左右風向板１３を周期的に揺動させることも可能である。
上側上下風向板１４ａ及び下側上下風向板１４ｂは、両端部に設けた回動軸（図示せず）を支点にして駆動モータ（図示せず）により回動される。すなわち、上側上下風向板１４ａ及び下側上下風向板１４ｂは空気調和機Ａの運転時には制御装置からの指示により、所定の角度だけ回動して空気吹出口１１を開き、その状態を保持するように制御される。また、上側上下風向板１４ａ及び下側上下風向板１４ｂは、空気調和機Ａの停止時には、制御装置からの指示に従い空気吹出口１１を閉じるように制御される。なお、図３においては上側上下風向板１４ａ及び下側上下風向板１４ｂを備える室内機１の例を示したが、上下風向板を１つだけ備える構成としてもよい。
【００１９】
フィルタ１５は、室内熱交換器５の吸込側を覆うように配置されている。フィルタ１５は、前面に設けられた空気吸込口１０及び上面に設けられた空気吸込口１０から取り込まれた空気に含まれる塵埃を捕らえる。フィルタ１５によって当該塵埃が取り除かれた空気は、室内熱交換器５に送り込まれる。
【００２０】
貫流ファン６が回転すると、室内空気が空気吸込口１０，１０から、室内熱交換器５、貫流ファン６を通り、温湿度が調整された空気が吹出風路１２に導かれる。さらに、吹出風路１２に導かれた空気は、左右風向板１３、上側上下風向板１４ａ、及び下側上下風向板１４ｂによって風向きを調整され、空気吹出口１１から外部に送り出されて室内を空調する。
【００２１】
なお、上記動作は、室内機１内部の電装品箱（図示せず）に搭載された制御装置（図示せず）からの指令によって制御される。制御装置は受光部２５（図４参照）を介してリモコン３（図１参照）から送られてくる操作信号を受信する。さらに制御装置は、当該操作信号に基づいて、貫流ファン６、前面パネル９、左右風向板１３、上側上下風向板１４ａ、及び下側上下風向板１４ｂのそれぞれに設置されたモータ（図示せず）の回転を制御することにより、上記各機器を回転又は回動させる。また、制御装置は各センサ（センサ１６ａ、１６ｍ、１６ｎ；図３、図５参照）により検知された各情報を受信する。なお、空気調和機Ａの運転時における制御装置の動作の詳細については、その説明を省略する。
【００２２】
図４の（ａ）は本発明の第１実施形態に係る空気調和機の室内機の斜視図であり、（ｂ）は（ａ）の状態から上側上下風向板を取り外した状態の室内機の斜視図であり、（ｃ）は（ｂ）の状態からさらにセンサカバーを取り外した状態の室内機の斜視図である。
空気調和機Ａの停止時には、図４（ａ）のように前面パネル９、上側上下風向板１４ａ、及び下側上下風向板１４ｂは閉じた状態となっている。
【００２３】
空気調和機Ａの停止時に上側上下風向板１４ａが閉じられた場合に、化粧枠８の切欠きによって露出している音センサ１６ｍ、温度センサ１６ｎ及びセンサカバー１６ｄ（図４（ｂ）参照）を上側上下風向板１４ａが覆う構成となっている（図４（ａ）参照）。したがって、空気調和機Ａの停止時において、空気調和機Ａの目とも言うべきセンサモジュール１６が上側上下風向板１４ａによって隠されるため、室内機１の外観を落ち着いた滑らかな形状とすることができる。
【００２４】
図４（ｃ）に示すフレネルレンズ１６ｂ内のセンサ１６ａ（図３参照）は人検知機能を有し、所定の視野（例えば視野角８０°）内の範囲において人間がいる場合には、当該人間を検知することができる。
センサモジュール１６は、室内機１の空気吹出口１１（図３参照）の上方に設置され、ネジ２７（図６参照）によって室内機１の内側から化粧枠８（図６参照）に固定される。図４においてセンサモジュール１６は、室内機１の左右方向の略中央部付近に設けられているが、室内機１の設置場所に対応させて、センサモジュール１６の位置を室内機１の右側又は左側に設置してもよい。
【００２５】
図５は、本発明の第１実施形態に係る空気調和機において、(ａ)はセンサモジュールの斜視図であり、（ｂ）は(ａ)の状態からセンサカバーを取り外した状態のセンサモジュールの斜視図である。
センサモジュール１６は、センサケース１６ｃに搭載された基板１６ｋにセンサ１６ａ（図３参照）を設置し、これにフレネルレンズ１６ｂを被せ、さらにセンサケース１６ｃにセンサカバー１６ｄを嵌め込んだ構成となっている。その他、センサモジュール１６は、信号増幅器１６ｇ、音センサ１６ｍ、温度センサ１６ｎ等を備える。
【００２６】
センサ１６ａ（図３参照）は、例えば焦電型の赤外線センサであり、平滑な受光面を持ち、当該受光面の対向する方向が検知方向となる。フレネルレンズ１６ｂは半球面状に形成され、特定の方向から来る赤外線を半球面の中心（センサ１６ａの受光面）に集めるように構成されている。センサケース１６ｃは、センサ１６ａ、フレネルレンズ１６ｂ、基板１６ｋ、信号増幅器１６ｇ等を収納する。また、センサケース１６ｃには、複数の突起１６ｆ、略長方形の開口部１６ｐが形成されている。
【００２７】
信号増幅器１６ｇは、例えばトランジスタであり、センサ１６ａ（図３参照）によって受信した赤外線信号を増幅する。信号増幅器１６ｇによって増幅された信号は図示しないフィルタ回路によってデジタル化され、電装品箱（図示せず）に搭載された制御装置（図示せず）に送られる。
音センサ１６ｍは、室内機１が設置されている周囲の音を検出するセンサであり、当該音センサ１６ｍによって検出された音量が所定の音量以上である場合には、制御装置によって室内に人がいると判断される。また、温度センサ１６ｎは、室内の温度を測定する。
なお、音センサ１６ｍ及び温度センサ１６ｎについては、その詳細な説明を省略する。
【００２８】
センサカバー１６ｄには、センサケース１６ｃに形成された複数の突起１６ｆに対応する複数の切欠き１６ｉが形成されている。センサカバー１６ｄの切欠き１６ｉにセンサケース１６ｃの突起１６ｆを嵌めこむことによって、センサカバー１６ｄをセンサケース１６ｃに設置することができる。なお、センサカバー１６ｄは、切欠き１６ｉに突起１６ｆを嵌め込んだ場合に、センサケース１６ｃに形成された略長方形の開口部１６ｐを覆い、フレネルレンズ１６ｂをほぼ密閉するように形成されている。
センサモジュール１６は、センサカバー１６ｄがセンサケース１６ｃに設置された状態で化粧枠８（図３参照）に取り付けられる。このときセンサカバー１６ｄが化粧枠８の切欠き８ａ（図４（ｃ）参照）に嵌め込まれる。
【００２９】
つまり、センサケース１６ｃの開口部１６ｐの周囲において、センサカバー１６ｄが開口部１６ｐを覆うようにセンサケース１６ｃに当接する構成となっている。上記のようにセンサカバー１６ｄをセンサケース１６ｃに嵌め込むことによって、フレネルレンズ１６ｂがほぼ密閉された状態となる。
なお、センサカバー１６ｄは例えば合成樹脂で作製され、その厚さは一定（例えば０．５ｍｍ）である。センサカバー１６ｄは、その内外から入射してくる赤外線を、ある一定以上の透過率で透過させることができるよう、その材料及び厚さが選択される。
【００３０】
図６は、本発明の第１実施形態に係る空気調和機において化粧枠にセンサモジュールを取り付ける場合を示した図であり、(ａ)はセンサモジュールの斜視図であり、（ｂ）は室内機のセンサモジュール周辺の断面図である。
図６においてセンサモジュール１６は、室内機１の化粧枠８に取り付けられる。センサモジュール１６の左右両端には固定部１６ｈ，１６ｈが形成され、当該固定部１６ｈ，１６ｈにはそれぞれネジ２７を通すための孔が設けられている。センサモジュール１６を化粧枠８に取り付ける際に、固定部１６ｈ，１６ｈの孔に、図６（ｂ）で矢印により示した向きにネジ２７を通して固定する。
センサモジュール１６を化粧枠８に固定した場合にセンサケース１６ｃと露受皿７とが所定距離（例えば１５〜２０ｍｍ）だけ離れるように設計する。
【００３１】
図７は、本発明の第１実施形態に係る空気調和機において露受皿に設置したボスにセンサモジュールを取り付ける場合を示した図であり、(ａ)はセンサモジュールの斜視図であり、（ｂ）は室内機のセンサモジュール周辺の断面図である。
図６ではセンサケース１６ｃが化粧枠８に固定される構成としたが、図７に示すように、露受皿７にボス３１を設け、センサモジュール１６を当該ボス３１に固定してもよい。つまり、図７の場合には、センサモジュール１６の固定部１６ｈ，１６ｈにそれぞれ開けられた孔にネジ２７を通し、さらに当該ネジ２７を露受皿７に設置したボス３１に螺入させることによってセンサモジュール１６をボス３１に固定する。
上記ボス３１にセンサモジュール１６が固定された場合に、センサケース１６ｃと露受皿７とが所定距離（例えば１５〜２０ｍｍ）だけ離れるように構成する。
【００３２】
図８は、本発明の第１実施形態に係る空気調和機のセンサモジュール周辺の断面図である。図８において、矢印は空気の流れを示している。
本実施形態では、センサケース１６ｃとセンサカバー１６ｄとによってフレネルレンズ１６ｂをほぼ密閉したセンサモジュール１６が、化粧枠８（又は露受皿７に設置したボス３１）に固定されている構造となっている。したがって、塵埃や、室内熱交換器５（図３参照）を通過する前の空気が露受皿７と化粧枠８との間の空間１７に侵入した場合でも、当該塵埃や空気がセンサケース１６ｃとセンサカバー１６ｄとの間に侵入することはほとんどない。すなわち本実施形態では、露受皿７と化粧枠８との間の空間１７から、センサケース１６ｃとセンサカバー１６ｄとによって形成される空間への塵埃や水蒸気の移動について、その単位時間当たりの流入量が格段に減ることになる。
したがって、センサケース１６ｃとセンサカバー１６ｄとによって形成される空間に湿った空気や塵埃が流入することがなくなる。結果的に、センサカバー１６ｄの内表面やフレネルレンズ１６ｂに結露して、その結露水に塵埃が付着するという事態を回避することができ、センサ１６ａの視認性の低下を防ぐことができる。
【００３３】
露受皿７からセンサケース１６ｃへの熱伝導の程度は、露受皿７とセンサケース１６ｃとの距離の２乗に反比例する。本実施形態では、センサケース１６ｃが露受皿７と所定の間隔を開けて組み付けられているため、露受皿７からセンサケース１６ｃへの熱伝導が低下する。つまり、空気調和機Ａが冷房運転している場合に、露受皿７に凝縮水が溜まっても、露受皿７の影響によってセンサケース１６ｃが冷やされることがないか、冷やされた場合でもその程度はかなり低くなる。
したがって、フレネルレンズ１６ｂやセンサカバー１６ｄが結露し、当該結露水に塵埃が付着するという事態を回避することができる。また、これによって結露水によるセンサ１６ａの視界の攪乱や、結露水に付着した塵埃によるセンサ１６ａの視認性の低下を防ぐことができる。
【００３４】
また、センサ１６ａとセンサカバー１６ｄとが離れるほど、センサ１６ａの視野２８の広がりに対応して、センサカバー１６ｄの大きさを大きくする必要がある。本実施例では、センサカバー１６ｄをセンサケース１６ｃに嵌めこむ構成となっているため、センサカバー１６ｄをセンサ１６ａに接近させることができ、その分センサカバー１６ｄを小さくすることが可能となる。
センサカバー１６ｄを小さくすることで、センサカバーの金型費用や材料費用を抑えることができる。さらに、センサカバー１６ｄを小さくすることで、センサカバー１６ｄの成形が容易となり、ヒケやソリ等の変形を抑えることができる。
【００３５】
また、本実施形態では、センサモジュール１６が室内機１に設置された状態において、センサカバー１６の外部に晒される表面を、室内機１の側面（右側面又は左側面を指す。）と平行な平面で切り取った場合に形成される曲線Ａ（図８参照）と、センサカバー１６ｄの上方及び下方において近接している化粧枠８の外表面を上記平面で切り取った場合に形成される曲線Ｂ１、Ｂ２（図８参照）とが、滑らかな曲線上に存在するようにセンサカバー１６ｄを形成している。
つまり、センサカバー１６ｄを、その周囲の化粧枠８と略面一に形成する。
【００３６】
このような構成をとることによって、本実施形態に係る空気調和機Ａは、冷房時に化粧枠８の下方にある空気吹出口１１（図３参照）から吹き出された冷風がセンサカバー１６ｄで滞ることなく（乱れることなく）滑らかに室内機１を流れぬける。したがって、冷風がセンサカバー１６ｄに当たってセンサカバー１６ｄが冷やされることや、気流の乱れによる水分の凝縮がなく、また、室内機１の側方から外気を巻き込むことがないので、センサカバー１６ｄの表面の結露を防ぐことができる。よって、センサ１６ａの視認性の低下を防ぐことができる。
【００３７】
≪第２実施形態≫
本実施形態では、センサカバー１６ｄの形状に特徴がある。その他の構成については、第１実施形態で説明したものと同様であるから、重複する部分については、その説明を省略する。
図９は、本発明の第２実施形態に係る空気調和機のセンサモジュールの断面図である。本実施形態では、センサカバー１６ｄの一部にカバー肉薄部１６ｊが形成されている。すなわち、センサカバー１６ｄは、センサ１６ａの視界２８が通る範囲外におけるセンサカバー１６ｄの板厚に比べて、センサ１６ａの視界が通る範囲内におけるセンサカバー１６ｄ（カバー肉薄部１６ｊ）の板厚のほうが薄くなるように形成される。
【００３８】
センサカバー１６ｄ（カバー肉薄部１６ｊ）の板厚を、センサ１６ａの視界２８が通る範囲内においてその他の部分より薄く形成することで、センサカバー１６ｄによって吸収される赤外線（検知対象）の量を、より少なくすることができる。したがって、センサカバー１６ｄにおける赤外線の透過率を、より高くすることができる。また、センサ１６ａの視界２８が通る範囲外の部分のセンサカバー１６ｄの板厚を、他の部分より厚くすることによって、センサカバー１６ｄの強度を上げることができる。
なお、本実施形態において、センサカバー１６ｄの板厚は、例えばカバー肉薄部１６ｊにおいては０．５ｍｍとし、カバー肉薄部１６ｊ以外の部分においては０．７ｍｍとすることができる。
【００３９】
≪第３実施形態≫
本実施形態では、センサカバー１６ｄをセンサケース１６ｃに嵌めるための構成に特徴がある。その他の構成については、第１実施形態で説明したものと同様であるから、重複する部分については、その説明を省略する。
図１０は、本発明の第３実施形態に係る空気調和機のセンサモジュールの断面図である。図１０において、センサケース１６ｃには、センサカバー１６ｄを嵌め込むための溝１６ｅが形成されている。当該溝１６ｅは、センサモジュール１６を化粧枠８（又は露受皿７に設置されたボス３１）に組み付けた場合に、センサカバー１６ｃの上下方向における端部がそれぞれ溝１６ｅの底と密着するように形成されている（図５参照）。つまり溝１６ｅは、センサケース１６ｃの開口部１６ｐ（図５参照）の上下２箇所において、センサカバー１６ｄの上下方向における端部に対応した長さの溝が掘られることにより形成されている。
なお、溝１６ｅを、化粧枠８の略長方形の切欠き８ａ（図４（ｃ）参照）に合わせて設けられたセンサケース１６ｃの略長方形の開口部１６ｐを取り囲むように連続して設けてもよい。
【００４０】
上記溝１６ｅにセンサカバー１６ｄが嵌め込まれることによって、センサカバー１６ｄの端部と溝１６ｅとが密着する。したがって、室内機１に取り入れた空気に含まれる塵埃や水蒸気がセンサケース１６ｃとセンサカバー１６ｄとによって形成される空間に侵入することがなく、フレネルレンズ１６ｂやセンサカバー１６ｄの表面の結露や塵埃の付着を防止することができる。
【００４１】
以上、本発明の各実施形態について説明したが、本発明はその趣旨を逸脱しない範囲で適宜変更して実施することができる。
上記実施例では、センサ１６ａの周りにセンサ検知エリアを確保するためにもうけられた開口部１６ｐ（図５（ｂ）参照）を略長方形としたが、開口部１６ｐの形状は三角形や六角形等の多角形や、円形でもよい。この場合には、当該開口部１６ｐの形状に合わせて化粧枠８の切欠き８ａ（図４（ｃ）参照）を形成する。
【００４２】
上記実施形態では、人を検知するためのセンサ１６ａを一つ備える構成となっているが、センサ１６ａを複数備える構成としてもよい。また、センサ１６ａは人検知機能の他に、室内を複数の領域に区分し、在室者が室内機１から見てどの位置にいるのかを検知するように構成してもよい。また、センサモジュール１６から音センサ１６ｍと温度センサ１６ｎのいずれか一方又は双方を省略してもよい。
【００４３】
≪比較例１≫
図１１は、従来の空気調和機のセンサモジュール周辺の断面図である。図１１において、矢印は空気の流れを示している。
図１１では、センサモジュール１６が露受皿７に組み付けられる構成となっている。このような構成の場合には、フレネルレンズ１６ｂとセンサカバー１６ｄとの間に湿った空気が入り込んでくる。また、センサモジュール１６が露受皿７に直接組み付けられているため、露受皿７に溜まった凝結水によってセンサモジュール１６が冷やされ、フレネルレンズ１６ｂやセンサカバー１６ｄが結露する可能性がある。フレネルレンズ１６ｂやセンサカバー１６ｄが結露した場合、当該結露水３０によってセンサ１６ａの視界が攪乱される。また、当該結露水３０に付着した塵埃によってセンサ１６ａの視認性が低下する。
【００４４】
また、図１１の構成の場合には、センサ１６ａとセンサカバー１６ｄとが離れているため、その分、センサカバー１６ｄの大きさをより大きく設計する必要がある。したがってこの場合には、センサカバー１６ｄの材料費用等が高くなるばかりでなく、センサカバー１６ｄにおいてヒケやソリ等の変形が生じてしまう可能性がある。
【００４５】
≪比較例２≫
図１２は、従来の空気調和機のセンサモジュール周辺の断面図である。図１２において、矢印は空気の流れを示している。
図１２の構成において、センサカバー１６ｄは化粧枠８に対して突出する形状となっている。このような構成の場合には、室内機１から吹き出された冷風がセンサカバー１６ｄで滞るため、冷風がセンサカバー１６ｄに当たってセンサカバー１６ｄが冷やされる。また、室内機１に生じる負圧によって湿った空気が吸い寄せられた場合には、当該湿った空気が、冷やされたセンサカバー１６ｄに当たって結露する可能性がある。さらに、当該結露水３０に室内の空中の塵埃が付着する可能性がある。
結果的に、センサ１６ａの性能が低下するという事態を招くことになる。
【符号の説明】
【００４６】
Ａ  空気調和機
１  室内機
２  室外機
３  リモコン
４  筐体ベース
５  室内熱交換器
６  貫流ファン
７  露受皿
８  化粧枠
８ａ  切欠き
９  前面パネル
１０  空気吸込口
１１  空気吹出口
１２  吹出風路
１３  左右風向板
１４ａ  上側上下風向板
１４ｂ  下側上下風向板
１５  フィルタ
１６  センサモジュール
１６ａ  センサ
１６ｂ  フレネルレンズ
１６ｃ  センサケース
１６ｄ  センサカバー
１６ｅ  溝
１６ｆ  突起
１６ｇ  信号増幅器
１６ｈ  固定部
１６ｉ  切欠き
１６ｊ  カバー肉薄部
１６ｋ  基板
１６ｍ  音センサ
１６ｎ  温度センサ
１６ｐ  開口部
２７  ネジ
２８  センサの視界（視界）
３０  結露水
３１  ボス
Ａ，Ｂ１，Ｂ２  曲線
【図１】
2012112547.tif 000003
【図２】
2012112547.tif 000004
【図３】
2012112547.tif 000005
【図４】
2012112547.tif 000006
【図５】
2012112547.tif 000007
【図６】
2012112547.tif 000008
【図７】
2012112547.tif 000009
【図８】
2012112547.tif 000010
【図９】
2012112547.tif 000011
【図１０】
2012112547.tif 000012
【図１１】
2012112547.tif 000013
【図１２】
2012112547.tif 000014